(57)【特許請求の範囲】
【請求項１】
電子楽器の操作部適所に取り付けられ、手動操作により音程、音色等の出力属性を変化させる入力装置において、二次元的な座標を有し、前記出力属性の操作入力部として使用されるタッチセンサパネルと、前記タッチセンサパネル上に突設され、該タッチセンサパネル上の座標位置を指接触により感知可能な複数の突起部とを有し、前記タッチセンサパネルの中心部を座標原点とし、前記突起部は当該原点及び横軸、縦軸に沿って複数設置されたことを特徴とする電子楽器用入力装置。
【請求項２】
前記突起部は、原点から離れるほど狭いピッチまたは広いピッチとなるように配置されたことを特徴とする請求項１記載の電子楽器用入力装置。
【請求項３】
前記突起部は、原点から離れるほど突起高さが高く、または低くなるように配置されたことを特徴とする請求項１記載の電子楽器用入力装置。
【請求項４】
前記縦軸及び横軸にて仕切られた各象限に鍵型の突起部が形成されたことを特徴とする請求項１記載の電子楽器用入力装置。
【請求項５】
電子楽器の操作部適所に取り付けられ、手動操作により音程、音色等の出力属性を変化させる入力装置において、二次元的な座標を有し、前記出力属性の操作入力部として使用されるタッチセンサパネルと、前記タッチセンサパネル上に凹設され、該タッチセンサパネル上の座標位置を指接触により感知可能な複数の窪み部とを有し、前記タッチセンサパネルの中心部を座標原点とし、前記窪み部は当該原点及び横軸、縦軸に沿って複数設置されたことを特徴とする電子楽器用入力装置。
【発明の詳細な説明】
【０００１】
【発明の属する技術分野】
本発明は、シンセサイザ等の電子楽器に搭載して、指接触による操作にて出力音の音程情報、音色情報、変調情報等を調整する入力装置に関する。
【０００２】
【従来の技術】
例えば、シンセサイザを演奏する際には、鍵盤を操作することにより譜面に沿った音楽を奏でることができ、一方、演奏中に音程、音色、変調等の各種出力属性を変化させることを可能とするために、鍵盤の側部近傍にトーンホイールやジョイスティック等の入力装置を搭載し、該入力装置を演奏状況に応じて適宜操作することにより、例えば、出力音の明暗（明るい音、暗い音）や変調情報（いわゆるビブラート、トレモロ）を調整可能としたものが使用されつつある。
【０００３】
図６はこのような入力装置が搭載されたシンセサイザの概略的な構成を示す説明図であり、同図に示すように、鍵盤１０１の側部には入力装置としてトーンホイール１０２が搭載されている。そして、演奏者は鍵盤操作の最中に片手で適宜トーンホイール１０２の円柱形状の操作体１０２ａを可逆的に回転させることにより、出力音の属性を変化させることができる。例えば、トーンホイール１０２にて変調情報を調整可能に設定しておけば、演奏中にビブラート（周波数変調）、トレモロ（振幅変調）を変化させることができ、幅広い演奏ができるようになる。
【０００４】
しかしながら、従来におけるトーンホイールやジョイスティック等の入力装置では、片手で操作することができ、且つ、視線を移動させること無く接触の感覚のみで操作することができるので、操作自体は簡単であるものの、操作の幅が狭いという欠点がある。即ち、図６に示した如くのトーンホイール１０２では、円柱形状の操作部１０２ａを回転させる操作であり、微妙な調整ができない。また、ジョイスティックを使用するものにおいても同様に操作自体は簡単であるが微調整には不向きであるという欠点がある。
【０００５】
【発明が解決しようとする課題】
上記したように、従来におけるシンセサイザ等の電子楽器においては、音色情報、音程情報、変調情報等の出力属性を適宜調整するための入力装置として、トーンホイールやジョイスティックを使用するものが知られているが、微調整ができないので、例えば、微妙にビブラートを変化させる等の操作ができないという欠点があった。
この発明はこのような従来の課題を解決するためになされたものであり、その目的とするところは、操作性が良く、且つ容易に微調整が可能な電子楽器用入力装置を提供することにある。
【０００６】
【課題を解決するための手段】
上記目的を達成するため本発明の請求項１記載の発明は、電子楽器の操作部適所に取り付けられ、手動操作により音程、音色等の出力属性を変化させる入力装置において、二次元的な座標を有し、前記出力属性の操作入力部として使用されるタッチセンサパネルと、前記タッチセンサパネル上に突設され、該タッチセンサパネル上の座標位置を指接触により感知可能な複数の突起部とを有し、前記タッチセンサパネルの中心部を座標原点とし、前記突起部は当該原点及び横軸、縦軸に沿って複数設置されたことが特徴である。
【０００７】
また、請求項２に記載の発明は、前記突起部は、原点から離れるほど狭いピッチまたは広いピッチとなるように配置されたことを特徴とする。請求項３に記載の発明は、前記突起部は、原点から離れるほど突起高さが高く、または低くなるように配置されたことを特徴とする。
【０００８】
請求項４に記載の発明は、前記縦軸及び横軸にて仕切られた各象限に鍵型の突起部が形成されたことを特徴とする。請求項５に記載の発明は、電子楽器の操作部適所に取り付けられ、手動操作により音程、音色等の出力属性を変化させる入力装置において、二次元的な座標を有し、前記出力属性の操作入力部として使用されるタッチセンサパネルと、前記タッチセンサパネル上に凹設され、該タッチセンサパネル上の座標位置を指接触により感知可能な複数の窪み部とを有し、前記タッチセンサパネルの中心部を座標原点とし、前記窪み部は当該原点及び横軸、縦軸に沿って複数設置されたことを特徴とする。
【０００９】
上述の如く構成された本発明によれば、タッチセンサパネルの縦軸、横軸にそれぞれ音程情報、音色情報、変調情報等の各種出力属性を設定しておき、演奏者が指による触感でタッチセンサパネル上の突起部又は窪み部に触れることにより、タッチセンサパネル上の座標位置を認識することができる。そして、このタッチセンサパネル上にて操作者が指で触れて押圧、或いはスライドさせることにより、音程、音色、ビブラート、トレモロ等を適宜調整することができる。また、タッチセンサパネルを使用しているので微妙な調整を容易に行うことができるようになる。
【００１０】
【発明の実施の形態】
以下、本発明の実施形態を図面に基づいて説明する。図１は本発明が適用された入力装置を搭載したシンセサイザの構成を示す概略的な斜視図であり、図示のように該入力装置１は、シンセサイザ鍵盤２の側部近傍に配置され、演奏者が鍵盤を操作している最中に容易に手を伸ばして操作できるようになっており、これを操作することにより楽音出力の音程、音色、変調等を変化させることができるようになっている。また、入力装置１は、図２に示されるように、矩形状のタッチセンサパネル３の縦軸、横軸の各方向に沿って突起部４が形成された構成を成しており、タッチセンサパネル３は、二次元的な広がりを有する圧力センサにて構成され、演奏者が指で接触することにより、接触した位置の二次元的な座標値を認識するものである。突起部４は、図３に示されるように、球形状凸部として形成され、指で触れることによりその存在を確認することができるものである。そして、該突起部４は、タッチセンサパネル３の中心部（原点）に配置され、この位置から横軸方向、及びこれと直交する縦軸方向に沿ってそれぞれ配置され、更に、原点から離れるにつれてピッチが狭くなっている。
そして、タッチセンサパネル３のアサインメントとして、各種の属性が設定可能であり、例えば、音程情報、音色情報（明るい音、暗い音）、変調情報（ビブラート、トレモロ）等を設定することができる。
【００１１】
次に、上記の如く構成された本実施形態の作用について説明する。前記したように、タッチセンサパネル３の原点位置および縦軸、横軸には突起部４が存在するので、演奏者は指による感触で原点位置を認識することができる。そして、この原点位置から、縦軸及び横軸方向に沿って指を移動させると、突起部４のピッチが除々に小さくなるので、原点からの距離をも認識することができる。つまり、演奏者はタッチパネルセンサ３を視認することなく、指による触感のみで現在接触している絶対的な位置を認識することができ、入力操作を行うことが可能となる。
【００１２】
そして、例えば、楽音の出力属性として、音程情報についてタッチセンサパネル３の左隅から右隅にかけて変化するように設定し、音色情報については、パネル３の中央から右隅にかけて変化するように設定し、変調情報についてはパネル３の上下方向にかけて変化するようにそれぞれ設定した状態にて、一方の手で鍵盤上の任意の鍵を押して基本音程を設定し、他方の手を使用してタッチセンサパネル３上に指を接触させ、パネル面上で左下から右上方向に接触点を移動させる操作を行うと、以下に示すように動作することになる。
（１）左下隅から原点に向けて指をスライドさせる間は、基本音程よりも低く出力された状態から基本音程に近づき、更に、トレモロが除々に弱く成ってくる。
（２）次いで、原点位置から右上隅に向けて指をスライドさせる間は、基本音程から除々に音程が上がり、ビブラートが除々に強くなり、音色が明るくなってい行く。
【００１３】
このように、タッチセンサパネル３上にて指をスライドさせることにより、音程情報、音色情報、変調情報を任意に設定することができるので、幅の広い楽音の調整が可能となり、より演奏者のイメージに則した楽音出力を得ることができる。なお、タッチセンサパネル３の縦軸、横軸のアサインメントは、勿論上記に限定されるものでは無く、使用の状況に応じて各種設定することができるものである。
【００１４】
このようにして、本実施形態に係る入力装置では、タッチセンサパネル３上に複数の突起部４を形成することにより、視線を向けることなく指による触感のみでタッチセンサパネル３上の絶対位置を知ることができ、指の接触位置を適宜スライドさせることにより音程情報、音色譲歩、変調情報等、各種楽音の出力属性を調整することができるので、演奏者は鍵盤を操作しながら容易に各種属性を調整することができるようになる。また、例えば、タッチセンサパネル３上にて指を左右に振るわす等の操作により微妙な調整を行うことも可能であり、きめの細かい楽音調整が可能となる。
【００１５】
また、上記実施形態では、入力装置を搭載する電子楽器としてシンセサイザを例に挙げて説明したが、本発明はこれに限定されるものでは無く、各種電子楽器に搭載して使用することができるものである。例えば、図４に示すように、エレキギター５のボデーに図２に示した入力装置１を搭載し、前記と同様にこの入力装置１を指で操作することによりエレキギターから出力される楽音を任意に調整することができる。
【００１６】
図５は、本発明に係る入力装置１の変形例を示す説明図であり、同図に示すように、この変形例では、図２に示した突起部４の配置に加えて、更に、縦軸と横軸にて仕切られる４つの象限（第１象限〜第４象限）に鍵型に形成された突起部６を形成している。そして、このような構成によれば、指でタッチセンサパネル３上に触れた際に、現在の接触位置をよりわかり易くすることができるようになる。
【００１７】
なお、本発明では、図２及び図５に示す如くの突起部４，（６）の配置例について示したが、本発明はこれに限定されるものでは無く、指による触感にてタッチセンサパネル３上の絶対座標が認識できれば、どのような配置でも良い。例えば、図２では、原点から隅部に向けて除々に突起部４のピッチが狭くなるようにしているが、この反対に、ピッチが除々に広くなるように構成しても良い。また、図示は省略するが、突起部４を原点位置から放射状に配置しても良く、更に、原点位置を中心に同心円状に配置しても良い。更に、突起部４のピッチを一定とし、該突起部４の突起高さを除々に変化させることで原点からの距離を認識するように構成することも可能である。
【００１８】
加えて、本実施形態では、タッチセンサパネル３上に突起部４を形成する構成としたが、指による触感にてその存在が認識できれば良いので、突起でなく窪み部をタッチセンサパネル３上に形成しても同様の効果を得ることができる。
【００１９】
【発明の効果】
以上説明したように、本発明では、タッチセンサパネル上に複数個の突起部を配設しているので、演奏者は視線を移動させることなく指による触感のみでタッチセンサパネル上の接触位置を認識することができ、接触した指を動作させることにより楽音の各種出力属性を変化させることができるので操作性が向上し、更に、従来より用いられているトーンホイールやジョイスティックと比較して微妙な調整ができるようになる。これにより、楽音調整の幅が広がり、より演奏者の要望に合った楽音を出力することができるようになる。
【図面の簡単な説明】
【図１】本発明に係る電子楽器用入力装置が搭載されたシンセサイザの構成を示す斜視図。
【図２】本発明の一実施形態に係る入力装置の平面図。
【図３】突起部を指で触れる様子を示す説明図。
【図４】本発明に係る入力装置をエレキギターに搭載した様子を示す説明図。
【図５】本発明に係る入力装置の変形例の構成を示す説明図。
【図６】従来における入力装置が搭載されたシンセサイザの構成を示す斜視図。
【符号の説明】
１  入力装置
２  鍵盤
３  タッチパネルセンサ
４，６  突起部
５  エレキギター
１０１  鍵盤
１０２  トーンホイール
１０２ａ  操作部
【図１】
0003554646.tif 000002
【図２】
0003554646.tif 000003
【図３】
0003554646.tif 000004
【図４】
0003554646.tif 000005
【図５】
0003554646.tif 000006
【図６】
0003554646.tif 000007